(57)【要約】【目的】靴底の補修を簡単に行うことが可能であり、また、様々なメーカー・タイプの靴の補修が可能であり、更には多様なサイズの靴に対応可能な靴底補修材を提供すること。【構成】本考案に係る靴底補修材は、円弧状であり、且つ、両端から中央部に向けて漸次高く形成される外周側面と、該外周側面の両端を繋ぎ、且つ、外周側面よりも湾曲の度合いが小さく膨出する内周側面と、外周側面と内周側面により囲まれ平面視略弓形状に形成されると共に、内周側面側から外周側面側に向けて傾斜する重合面と、外周側面と内周側面により囲まれ底面視略弓形状に形成されると共に、平坦に形成される底部とにより構成した。【選択図】図７
0003165936.tif 000002
【実用新案登録請求の範囲】
【請求項１】
靴底かかと部の摩耗部位に取り付けて用いる靴底補修部材であって、円弧状であり、且つ、両端から中央部に向けて漸次高く形成される外周側面（２）と、該外周側面（２）の両端を繋ぎ、且つ、外周側面（２）よりも湾曲の度合いが小さく膨出する内周側面（３）と、外周側面（２）と内周側面（３）により囲まれ平面視略弓形状に形成されると共に、内周側面側（３）から外周側面側（２）に向けて傾斜する重合面（４）と、外周側面（２）と内周側面（３）により囲まれ底面視略弓形状に形成されると共に、平坦に形成される底部（７）と、により成る靴底補修材。
【請求項２】
重合面（４）が底部（７）に向けて湾曲状に窪んで形成される請求項１に記載の靴底補修材。
【請求項３】
底部（７）に溝（５）が設けられた請求項１又は２に記載の靴底補修材。
【請求項４】
外周側面（２）と内周側面（３）とで囲まれた周縁を、補修対象の靴底かかと部周縁と同一或いは小さく形成した請求項１乃至３いずれかに記載の靴底補修材。
【考案の詳細な説明】
【技術分野】
【０００１】
本考案は靴底補修材に関し、より詳しくは、靴底かかと部の磨耗した部位に取り付けて、靴底を補修するための靴底補修材に関する。
【背景技術】
【０００２】
実開平６−６８５０５号公報には、半月形の材料に半円形の切除部分を設けた靴底補修材が開示されている。この考案は、詳細を後述する本考案とは半円形の切除部分の有無という点で異なる。
【０００３】
登録実用新案公報第３１５２７５９号には、平面視略半円状に形成されるとともに、補修対象の靴底かかと部の後部周縁よりも大きく形成され、且つ、靴底との重合面の曲率を変化させた靴底補修材が開示されている。この考案は、詳細を後述する本考案とは、前記曲率の変化の有無という点で異なり、更には本考案は靴底かかと部よりも大きく形成してあるという点で異なる。
【先行技術文献】
【特許文献】
【０００４】
【特許文献１】実開平６−６８５０５号公報
【特許文献２】登録実用新案公報第３１５２７５９号
【考案の概要】
【考案が解決しようとする課題】
【０００５】
健康志向のもと、ランニングは多くの人がおこなう人気スポーツとなっている。愛好家の中には、月間走行距離が２００〜３００キロメートルに及ぶ者も少なくない。
【０００６】
かかる長距離を走破すると、短期間のうちにランニングシューズの靴底のかかと部外縁が摩耗してしまう。かかる摩耗により片減りしたランニングシューズを履いてランニングを続けると、着地時に足首や膝が外側へ歪んだり、着地後において膝が一旦外へ開いてから回内（過回内）するようになったり、着地時の荷重衝撃がかかと部全体に分散されなくなる等、膝やかかとの故障をもたらす原因となる。
【０００７】
そこで、靴底補修用の平板なゴム材をかかと部位に類似する形状にカットし、接着剤で貼りつけ、靴底を補修することが行われている。
【０００８】
しかし、かかる補修方法は、靴底補修用のゴム材が摩耗に耐えうるよう硬度に富む素材であることから、カットに手間を要する等手軽に行えるものではない。
【０００９】
また、半練液状式の補修剤を摩耗部分に塗布することが行われることもあるが、硬化するのに長時間を要するという欠点がある。
【００１０】
そこで、本考案は靴底の補修を簡単に行うことが可能であり、また、様々なメーカー・タイプの靴の補修が可能であり、更には多様なサイズの靴に対応可能な靴底補修材を提供することを目的とする。
【課題を解決するための手段】
【００１１】
上記の目的を達成する本発明の構成は次の通りである。
【００１２】
（１）  請求項１に係る靴底補修材は、円弧状であり、且つ、両端から中央部に向けて漸次高く形成される外周側面と、該外周側面の両端を繋ぎ、且つ、外周側面よりも湾曲の度合いが小さく膨出する内周側面と、外周側面と内周側面により囲まれ平面視略弓形状に形成されると共に、内周側面側から外周側面側に向けて傾斜する重合面と、外周側面と内周側面により囲まれ底面視略弓形状に形成されると共に、平坦に形成される底部とにより形成される。
【００１３】
（２）  請求項２に係る靴底補修材は、請求項１記載の靴底補修材における重合面が底部に向けて湾曲状に窪んで形成される。
【００１４】
（３）  請求項３に係る靴底補修材は、請求項１又は２に記載の靴底補修材において、底部に溝が形成される。
【００１５】
（４）  請求項４に係る靴底補修材は、請求項１乃至３いずれかに記載の靴底補修材において、外周側面と内周側面とで囲まれた周縁を、補修対象の靴底かかと部周縁と同一或いは小さく形成した。
【考案の効果】
【００１６】
請求項１記載の考案によれば、靴底の摩耗部位に接着剤で貼り付けるだけで靴底の補修が可能であり、誰でも簡単に補修を行うことが可能となる。
【００１７】
また、接着するのみで補修可能であるがゆえに、ランニングシューズに限らず、皮靴その他の靴、つまりは様々なメーカー・タイプ・サイズの靴の補修が可能となる。
【００１８】
更には、請求項２記載の考案は重合面が底部に向かって窪んだ湾曲形状を有するため、摩耗部位の形状に応じた接着が可能となる。
【００１９】
請求項３記載の考案は、底部に溝が設けてある。つまり補修後、接地する底部に滑り止めが付されることになり、ランニング時や歩行時の安全性が高められる。
【００２０】
請求項４記載の考案は、補修対象の靴底かかと部周縁と同一或いは小さく形成してあるので、補修作業時に靴底よりはみ出た部分をカットするといった工程を省略でき、つまりは容易に補修が可能となるのである。
【図面の簡単な説明】
【００２１】
【図１】本考案の正面図。
【図２】同、平面図。
【図３】同、左側面図。
【図４】溝を設けた底面図。
【図５】図２におけるＡ−Ａ線断面図。
【図６】本考案の斜視図。
【図７】使用状態を示す説明図。
【考案を実施するための形態】
【００２２】
以下、好ましい考案の一実施形態につき図面を参照しながら概説する。
【００２３】
図２に示されるように、本考案に係る靴底補修材１は、円弧状の外周側面２と、外周側面２の両端を繋ぎ、且つ、外周側面２よりも湾曲の度合いが小さく膨出する内周側面３とにより囲まれる平面視略弓形状の外観を呈するものである。また、底部７は図２と同一に現れ、つまりは底面視略弓形状に形成されるものである。そして、請求項４に係る考案では、この外観が補修対象の靴底と同一或いは小さく形成されるものである。
【００２４】
外周側面２は図３に示されるように、両端から中央部に向けて漸次高く形成される。
【００２５】
靴底に接着される重合面４は、内周側面３と外周側面２により囲まれ、図１や図５に示されるように内周側面側３から外周側面側２に向けて上方に傾斜するものである。請求項２の考案においては、この重合面４は底部に向けて湾曲形状ん窪んで形成される。
【００２６】
請求項１に係る靴底補修材１においては、その底面は平面と同一に現れる。請求項３に係る考案においては、その底面には図４に示されるように溝５が設けてある。この溝５は滑り止めのために設けられるものであり、その形状は、図４に示されるように外周側面２と略同心円状に複数設けてもよいし、直線状に複数設けてもよい。
【００２７】
以上のように構成される靴底補修材１の材質は、合成ゴムを使用して成るものである。
【００２８】
本考案の具体的使用状態を示すのが図７である。靴底補修材１の重合面４に接着剤を塗布し、補修対象の靴底かかと部６の摩耗面に貼り付けるものである。
【符号の説明】
【００２９】
１・・靴底補修材
２・・外周側面
３・・内周側面
４・・重合面
５・・溝
６・・かかと部
【図１】
0003165936.tif 000003
【図２】
0003165936.tif 000004
【図３】
0003165936.tif 000005
【図４】
0003165936.tif 000006
【図５】
0003165936.tif 000007
【図６】
0003165936.tif 000008
【図７】
0003165936.tif 000009